(57)【特許請求の範囲】
【請求項１】
キャビネットから出し入れ可能な引出と、該引出の内側に配置される内引出とを備えた収納庫であって、
前記引出の前板の裏側に設けられるフックと、
前記内引出の前端に設けられ前記フックが係合する被係合部と、
前記フックを前記被係合部に向かって付勢するバネと、
上方から押されることにより前記フックを前記被係合部との係合が解除される位置まで移動させる押下部と、
を含み、
前記押下部は、前記内引出の前端に設けられていることを特徴とする収納庫。
【請求項２】
前記被係合部との係合が解除された位置で前記フックを固定するロック機構を更に含むことを特徴とする請求項１に記載の収納庫。
【請求項３】
前記押下部の上面は、前記キャビネットの奥側に向かうにしたがって上方に傾斜していることを特徴とする請求項１または２に記載の収納庫。
【発明の詳細な説明】
【技術分野】
【０００１】
本発明は、キャビネットから出し入れ可能な引出と、引出の内側に配置される内引出とを備えた収納庫に関する。
【背景技術】
【０００２】
キッチンで使用される調理器具には、ボールやざるのように大型のもの、長手の形状を有する杓子類（レードル）、長箸、ラップ、包丁、調味料などの小物類、乾物や缶詰などの食料品など、様々なものがある。そこで使い勝手を向上させるために、キッチンに設けられる収納庫には、物品の形状に応じた様々な工夫が成されている。
【０００３】
例えば、キッチンで使用する調理器具には、寸胴鍋のように高さが高いものもあれば、バットのように高さが低いものがあり、背の高いものを収納しつつ、背の低いものは引出内を２段使用して効率的に収納したいという要望がある。そこで特許文献１では、キャビネットの主引出の内部に、前後方向にスライド可能な内引出を設け、主引き出しに対して内引き出しを選択的に掛止および離脱可能な掛止装置を主引き出しに取付けている。これにより、内引き出しを主引き出しと一緒にまたは別個に引き出すことを選択可能となり、使い勝手を高めることが可能である。
【先行技術文献】
【特許文献】
【０００４】
【特許文献１】特許３９０８９４３号
【発明の概要】
【発明が解決しようとする課題】
【０００５】
特許文献１の構成によれば、主引出（以下、単に引出と称する）を引き出した状態で内引出を離脱することにより、内引出を個別に開閉することができる。すなわち引出を引き出した後に内引出を離脱することにより、内引出をキャビネット内に戻し、引出の内部の収納物を出し入れすることができる。
【０００６】
しかしながら特許文献１の構成であると、引出と一緒に引き出された内引出をキャビネット内に戻す際には、使用者は、一方の手で引出との掛止を解除しつつ、他方の手で内引出をキャビネット内に押し込む作業を行う必要がある。このため、片手に物品を持っている状態ではその作業を行いづらく、より使い勝手を高めるべく検討が行われていた。
【０００７】
本発明は、このような課題に鑑み、引出の内部に内引出を設ける場合において、引出と内引出との連動をより簡単に解除することができ、使い勝手を高めることが可能な収納庫を提供することを目的としている。
【課題を解決するための手段】
【０００８】
上記課題を解決するために、本発明にかかる収納庫の代表的な構成は、キャビネットから出し入れ可能な引出と、引出の内側に配置される内引出とを備えた収納庫であって、引出の前板の裏側に設けられるフックと、内引出の前端に設けられフックが係合する被係合部と、フックを被係合部に向かって付勢するバネと、上方から押されることによりフックを被係合部との係合が解除される位置まで移動させる押下部と、を含み、押下部は、内引出の前端に設けられていることを特徴とする。
【０００９】
上記構成によれば、フックと被係合部を係合した状態では、引出を開閉すると、それと連動して内引出が開閉される。一方、フックと被係合部の係合状態を解除した状態では、引出と内引出とが連動しなくなるため、それぞれを独立して開閉することができる。このとき、押下部が内引出の前端に設けられていることにより、押下部を上方から押しつつ、その押している手によって内引出をキャビネットの奥側に向かって押し込むことができる。したがって、フックと被係合部の係合を解除する作業、および内引出を押し込む作業を片手で同時に行うことが可能となるため、作業性を高めることができる。
【００１０】
上記被係合部との係合が解除された位置で前記フックを固定するロック機構を更に含むとよい。かかる構成によれば、被係合部との係合が解除された状態でフックを固定するロック機構を備えているため、係合が解除された状態を維持することができる。したがって、引出と内引出を連動させる、また連動させない状態を使用者が任意に選択することが可能となるため、利便性を高めることができる。
【００１１】
上記押下部の上面は、キャビネットの奥側に向かうにしたがって上方に傾斜しているとよい。これにより、押下部を上方から押して内引出を押し込む際に押下部に力をかけやすくなる。したがって、上述した作業をより効率的に行うことが可能となる。
【発明の効果】
【００１２】
本発明によれば、引出の内部に内引出を設ける場合において、引出と内引出との連動をより簡単に解除することができ、使い勝手を高めることが可能な収納庫を提供することができる。
【図面の簡単な説明】
【００１３】
【図１】本実施形態にかかる収納庫を備えるキャビネットの全体斜視図である。
【図２】本実施形態にかかる収納庫を備えるキャビネットの全体斜視図である。
【図３】本実施形態にかかる収納庫を上方から観察した状態を示す図である。
【図４】フック、被係合部およびそれらの周辺の部品の分解図である。
【図５】フック、被係合部およびそれらの周辺の部品の組付図である。
【図６】組付後のフックおよび被係合部等を側方から観察した状態を示す図である。
【図７】ロック機構の詳細を説明する図である。
【発明を実施するための形態】
【００１４】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１５】
図１および図２は、本実施形態にかかる収納庫を備えるキャビネット１００ａの全体斜視図である。図１は、引出１２０を引き出した状態であって、内引出１３０をキャビネット１００ａ内に収容している状態を例示している。図２は、引出１２０および内引出１３０の両方をキャビネット１００ａから引き出した状態を例示している。なお説明の便宜上、引出１２０の前板１２２は透過表示にしている。
【００１６】
キッチン（不図示）には、図１および２に示すようなキャビネット１００ａが設けられている。キャビネット１００ａは、上部に天板１０２が配置されていて、天板１０２の下方には、収納物（不図示）を収納する収納庫１００が設けられている。本実施形態の収納庫１００は、図１に示すように、キャビネット１１０から出し入れ可能な引出１２０と、引出１２０の内側に配置される内引出１３０とを含んで構成される。
【００１７】
図３は、本実施形態にかかる収納庫１００を上方から観察した状態を示す図である。図３においても、説明の便宜上、引出１２０の前板１２２は透過表示にしている。
【００１８】
図１から図３に示すように、本実施形態の収納庫１００では、引出１２０の前板１２２の裏側にフック１４０が設けられていて、内引出１３０の前端のバー１３２に、フック１４０が係合する被係合部１５０が設けられている。なお、本実施形態では、引出１２０の前板１２２の裏側にフック１４０を、内引出１３０の前端に被係合部１５０を設ける構成を例示したが、これに限定するものではなく、フック１４０および被係合部１５０を逆に配置することも可能である。
【００１９】
図４は、フック１４０、被係合部１５０およびそれらの周辺の部品の分解図である。図５は、フック１４０、被係合部１５０およびそれらの周辺の部品の組付図である。図６は、組付後のフック１４０および被係合部１５０等を側方から観察した状態を示す図である。
【００２０】
図４に示すケーシング１６０は、引出１２０の前板１２２の裏側に取り付けられる部品である。図５（ａ）および（ｂ）に示すように、フック１４０は、その上部がケーシング１６０外に露出した状態でかかるケーシング１６０に収容される。これにより、フック１４０は、かかるケーシング１６０を介して引出１２０の前板１２２の裏側に取り付けられる。
【００２１】
またケーシング１６０の内部には、フック１４０を被係合部１５０に向かって付勢するバネ１７０が収容される。フック１４０およびバネ１７０を収容した後に、ケーシング１６０の背面に裏蓋２００が取り付けられる。
【００２２】
図４に示す被係合部１５０は、図６（ｂ）に示すようにフック１４０が係合する孔１５２が形成されている。また被係合部１５０には、被係合部１５０に対して上下方向にスライド可能な押下部１８０が上方から嵌装される。押下部１８０は、後述するように上方から押されることにより、フック１４０を被係合部１５０との係合が解除される位置まで移動させる。
【００２３】
フック１４０と被係合部１５０とが係合していない状態では、図６（ａ）に示すように、フックはバネ１７０によって上方に付勢されている。これにより、フック１４０の上端は、被係合部１５０の下端（孔１５２の位置）よりも上方に位置することとなる。図６（ａ）に示す状態から、引出１２０を内引出１３０に向かって押し込む、または内引出１３０を引出１２０側に引き出すことにより、図６（ｂ）に示すように、フック１４０が被係合部１５０に係合する。これにより、引出１２０と内引出１３０が連動状態となり、引出１２０の出し入れに連動して内引出１３０を出し入れすることが可能となる。
【００２４】
図６（ｂ）に示すフック１４０と被係合部１５０の係合状態（連動状態）を解除する場合には、押下部１８０を上方から押下する。これにより、押下部１８０の解除壁１８２（図４（ａ）参照）がフック１４０を押し下げ、図６（ｃ）に示すようにフック１４０が被係合部１５０との係合が解除される位置まで下方に移動する。そして、押下部１８０を奥行き方向に向かって、すなわちキャビネット１１０側に向かって押し込むことにより、図２に示すように引出１２０と連動して引き出された内引出１３０を、図１に示すようにそれのみをキャビネット１１０内に戻すことができる。
【００２５】
なお、引出１２０を閉じるとフック１４０が被係合部１５０に係合するように内引出１３０の位置が設定されている。したがってフック１４０と被係合部１５０の係合を解除した場合であっても、引出１２０を閉じれば自動的にふたたび係合状態となる。
【００２６】
このとき特に本実施形態では、押下部１８０は、被係合部１５０に嵌装されることにより内引出１３０の前端に設けられている。これにより、押下部１８０を上方から押しつつ、その押している手によって内引出１３０をキャビネット１１０の奥側に向かって押し込むことができる。したがって、フック１４０と被係合部１５０の係合を解除する作業、および内引出１３０を押し込む作業を片手で同時に行うことが可能となり、作業性を高めることが可能となる。
【００２７】
また本実施形態では、図６（ａ）〜（ｃ）に示すように、押下部１８０の上面１８４は、キャビネット１００ａの奥側に向かうにしたがって上方に傾斜している。これにより、押下部１８０を上方から押して内引出１３０を押し込む際に下向きにも奥向きにも押下部１８０に力をかけやすくなる。したがって、上述した作業をより効率的に行うことが可能となる。
【００２８】
図７は、ロック機構の詳細を説明する図であり、図７（ａ）はロック機構の分解状態をキャビネット１００ａの奥側から観察した状態を例示していて、図７（ｂ）はロック機構によってフック１４０が固定された状態の断面図である。本実施形態の収納庫１００では、被係合部１５０との係合が解除された位置でフック１４０を固定するロック機構が設けられる。
【００２９】
本実施形態のロック機構は、挿通穴１６２、ロックバー１９０およびスライド溝１４２を含んで構成される。図５および図７（ａ）に示すように、ケーシング１６０には挿通穴１６２が形成されていて、かかる挿通穴１６２にロックバー１９０が挿通される。ロックバー１９０は挿通穴１６２を左右方向（収納庫の幅方向）に移動可能である。
【００３０】
一方、図７（ａ）に示すように、フック１４０の背面にはＬ字状のスライド溝１４２が形成されている。スライド溝１４２は、フック１４０の移動方向に沿った移動用溝１４２ａと、移動方向に直交する固定用溝１４２ｂから構成される。ロックバー１９０が移動用溝１４２ａの位置にあるときは、フック１４０がバネ１７０および被係合部１５０に押されて上下に移動可能である。ロックバー１９０が固定用溝１４２ｂの位置にあるときは、バネ１７０の付勢力に抗してフック１４０の移動が規制される。
【００３１】
フック１４０を固定するときには、図６（ａ）に示すようにフック１４０と被係合部１５０が係合していない状態において、図７（ｂ）に示すように、ロックバー１９０が固定用溝１４２ｂの位置に来るまでフック１４０を上方からケーシング１６０内に押し込む。そして、ロックバー１９０を挿通穴１６２内で固定用溝１４２ｂに向かってスライドさせることにより、フック１４０がその位置で固定される。これにより、フック１４０と被係合部１５０の係合が解除された状態、すなわち引出１２０と内引出１３０とを連動させない状態を維持することができるため、それぞれを独立して開閉することが可能となる。
【００３２】
上記説明したように、本実施形態の収納庫１００によれば、図６（ｂ）に示すようにフック１４０が被係合部１５０と係合している状態とすれば、引出１２０と内引出１３０を連動した状態が維持され、それらを一緒に開閉することができる。一方、図６（ｂ）に示すようにロック機構（ロックバー１９０）によって被係合部１５０との係合を解除した位置でフック１４０を固定すれば、引出１２０と内引出１３０とが非連動状態を維持することができ、それらを個別に開閉することができる。したがって、引出１２０と内引出１３０を連動させる、また連動させない状態を使用者が任意に選択することが可能となるため、利便性を高めることができる。
【００３３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３４】
本発明は、キャビネットから出し入れ可能な引出と、引出の内側に配置される内引出とを備えた収納庫として利用することができる。
【符号の説明】
【００３５】
１００…収納庫、１００ａ…キャビネット、１０２…天板、１１０…キャビネット、１２０…引出、１２２…前板、１３０…内引出、１３２…バー、１４０…フック、１４２…スライド溝、１４２ａ…移動用溝、１４２ｂ…固定用溝、１５０…被係合部、１６０…ケーシング、１６２…挿通穴、１７０…バネ、１８０…押下部、１８２…解除壁、１８４…上面、１９０…ロックバー、２００…裏蓋
【図１】
0006661081.tif 000002
【図２】
0006661081.tif 000003
【図３】
0006661081.tif 000004
【図４】
0006661081.tif 000005
【図５】
0006661081.tif 000006
【図６】
0006661081.tif 000007
【図７】
0006661081.tif 000008